(57)【要約】      （修正有）【課題】簡単な構成で引戸を閉じたときに安定した手摺りを開口部に配置することができる開口部構造を提供する。【解決手段】スライドして開口１ａを閉止可能な引戸２と、引戸２において、開口１ａにより連通される２つの空間側に向く両面から各々突出させ所定方向に沿って設けられた手摺り５と、引戸２を開いたときに引戸２と対向する対向部１０に設けられ、対向部１０側に突出する手摺り５を収容可能な凹部１１と、を有する。【選択図】図４
2019206850.tif 000002
【特許請求の範囲】
【請求項１】
スライドして開口を閉止可能な引戸と、
前記引戸において、前記開口により連通される２つの空間側に向く両面から各々突出させ前記所定方向に沿って設けられた手摺りと、
前記引戸を開いたときに当該引戸と対向する対向部に設けられ、前記対向部側に突出する前記手摺りを収容可能な凹部と、
を有することを特徴とする開口部構造。
【請求項２】
請求項１に記載の開口部構造であって、
前記凹部内は、見込み方向において前記引戸側に位置する部位よりも前記引戸から離れた位置に、前記引戸側に位置する部位よりも、上方または下方の少なくともいずれか一方に窪む窪み部を有していることを特徴とする開口部構造。
【請求項３】
請求項１または請求項２に記載の開口部構造であって、
前記対向部は、前記開口の隣に位置する壁であることを特徴とする開口部構造。
【請求項４】
請求項１または請求項２に記載の開口部構造であって、
前記対向部は、当該引戸と引き違い状態で設けられている他の引戸であることを特徴とする開口部構造。
【請求項５】
請求項１乃至請求項４のいずれかに記載の開口部構造であって、
前記開口が形成されている壁には、前記引戸を閉じた状態で、前記所定方向に、前記手摺りまたは前記凹部と連なる他の手摺りが設けられていることを特徴とする開口部構造。
【請求項６】
請求項１乃至請求項５のいずれかに記載の開口部構造であって、
前記引戸が前記開口を閉止する閉止位置に、前記引戸を保持可能な保持機構を有することを特徴とする開口部構造。
【発明の詳細な説明】
【技術分野】
【０００１】
本発明は、引戸により開閉される開口部構造に関する。
【背景技術】
【０００２】
引戸により開閉される開口部構造としては、例えば、引戸により開閉される開口部に、引戸が閉じられたときに連続した手摺りが形成されるように構成されているものが知られている(例えば、特許文献１参照)。この開口部の左右方向における両側の壁面には、一部がパイプ状をなす第１及び第２手摺本体が固定されており、引戸には、第１手摺本体内に入れ子式に収納され先端が戸先側に連結され、当該引戸と共にスライドする可動手摺体が設けられている。この可動手摺体は、引戸が開口部を閉じたときに可動手摺体の先端部分が第２手摺本体の端部とはまり合って第１及び第２手摺本体が可動手摺体によって連結されるよう構成されている。
【先行技術文献】
【特許文献】
【０００３】
【特許文献１】特開平１１−２５６９２８号公報
【発明の概要】
【発明が解決しようとする課題】
【０００４】
上記引戸に設けられている可動手摺体は、一部がパイプ状をなす第１手摺本体と入れ子になってスライド自在になっており、引戸を閉じたときに先端が第２手摺本体にはまり合うように構成されているので、構造が複雑である。また、可動手摺体は、引戸に先端部が固定されて第１手摺本体とはスライド可能に係合しているだけなので、入れ子部分の僅かな隙間によりがたつきが生じるため、手摺りとしては心許無いという課題がある。
【０００５】
本発明は、かかる課題に鑑みてなされたものであり、その目的とするところは、簡単な構成で引戸を閉じたときに安定した手摺りを開口部に配置することができる開口部構造を提供することにある。
【課題を解決するための手段】
【０００６】
かかる目的を達成するために本発明の開口部構造は、スライドして開口を閉止可能な引戸と、前記引戸において、前記開口により連通される２つの空間側に向く両面から各々突出させ前記所定方向に沿って設けられた手摺りと、前記引戸を開いたときに当該引戸と対向する対向部に設けられ、前記対向部側に突出する前記手摺りを収容可能な凹部と、を有することを特徴とする開口部構造である。
【０００７】
このような開口部構造によれば、引戸を開いたときに当該引戸と対向する対向部に、引戸の対向部側に突出する手摺りを収容可能な凹部が設けられているので、引戸の対向部側にも十分な強度を備えた手摺りを常に設けておくことが可能である。そして、引戸を閉じることにより、引戸の対向部側であっても開口部に手摺りを配置することが可能であり、また、手摺りが妨げになることなく引戸を開くことが可能である。
【０００８】
また、引戸に設けられた対向部側に突出する手摺りは、対向部に設けられた凹部に収容されるので、引戸の対向部側に手摺りを設けたとしても、引戸を対向部側により近接させて配置することが可能である。このため、壁及び引戸を含む開口部の見込み幅を狭くすることが可能である。このため、見込み方向において開口部の両側に設けられているスペースをより広く有効に使用することが可能である。
【０００９】
また、対向部に設けた凹部は、引戸を閉じた状態では、引戸と反対側に、引戸の手摺りと同じ高さにて窪んでいる。このため、引き戸を閉じた状態で対向部が露出しているときには、凹部を手掛かりとして手摺りの代わりとすることが可能である。このため、開口部と対向部とを含む、より広い範囲に歩行の補助となる手摺りまたは手掛かりを設けることが可能である。また、手摺りが収容される部位は壁に設けた凹部なので、簡単な構成であるため製造、施工が容易であり、コストを抑えることができると共に、対向部により安定した手掛かりを提供することが可能である。
【００１０】
かかる開口部構造であって、前記凹部内は、見込み方向において前記引戸側に位置する部位よりも前記引戸から離れた位置に、前記引戸側に位置する部位よりも、上方または下方の少なくともいずれか一方に窪む窪み部を有していることを特徴とする。
このような開口部構造によれば、凹部は、見込み方向において引戸側に位置する部位よりも引戸から離れた位置に、引戸側に位置する部位よりも、上方または下方の少なくともいずれか一方に窪む窪み部を有しているので、凹部に手を掛けた際には、引戸側の高くなっている部位を掴むことが可能である。このため、凹部も手摺りとして使用することが可能である。
【００１１】
かかる開口部構造であって、前記対向部は、前記開口の隣に位置する壁であることを特徴とする。
このような開口部構造によれば、開口の隣に位置する壁側に引き込まれる引戸と、対向する壁とに手摺りまたは手掛かりを設けることが可能である。
【００１２】
かかる開口部構造であって、前記対向部は、当該引戸と引き違い状態で設けられている他の引戸であることを特徴とする。
このような開口部構造によれば、引き違い状態で設けられている各々の引戸に手摺りまたは手掛かりを設けることが可能である。
【００１３】
かかる開口部構造であって、前記開口が形成されている壁には、前記引戸を閉じた状態で、前記所定方向に、前記手摺りまたは前記凹部と連なる他の手摺りが設けられていることを特徴とする。
【００１４】
このような開口部構造によれば、引戸を閉じた状態では、引戸及び対向部のみならず、開口が形成されている壁に設けられている他の手摺りと連ねられるので、より広い範囲にて安全な歩行をサポートすることが可能である。
【００１５】
かかる開口部構造であって、前記引戸が前記開口を閉止する閉止位置に、前記引戸を保持可能な保持機構を有することを特徴とする。
このような開口部構造によれば、保持機構により、引戸は閉じた状態で閉止位置に保持されるので、引戸が閉じた状態、すなわち、引戸の手摺りと対向部の凹部とが連なるように配置された状態で、引戸が保持される。このため、手摺りや、手掛かりとして凹部を使用する者は、安定した歩行が可能となる。
【発明の効果】
【００１６】
本発明によれば、簡単な構成で引戸を閉じたときに安定した手摺りを開口部に配置することができる開口部構造を提供することが可能である。
【図面の簡単な説明】
【００１７】
【図１】本実施形態に係る開口部構造を廊下側から見た正面図である。
【図２】保持機構を説明する横断面図である。
【図３】図１におけるＡ−Ａ断面図である。
【図４】本実施形態に係る開口部構造を廊下側から見た斜視図である。
【図５】本実施形態に係る開口部構造を居室側から見た斜視図である。
【発明を実施するための形態】
【００１８】
以下、本発明の一実施形態に係る開口部構造について図面を参照して説明する。
本実施形態では、図１に示すように、建物内の廊下と居室とを仕切る壁１に設けられ、居室の出入口をなす開口１ａを閉止可能な引戸２が設けられている開口部を例に挙げて説明する。
【００１９】
以下の説明においては、引戸２が取り付けられている開口部を廊下側から見たときに、上下となる方向を上下方向、左右となり壁に沿う方向を左右方向、奥行き方向を見込み方向として示す。壁１及び引戸２の各部位であっても、また、壁１及び引戸２を構成する各部材については単体の状態であっても、建物等に取り付けられている状態にて上下方向、左右方向、見込み方向となる方向にて方向を特定して説明する。
【００２０】
本実施形態の開口部は、廊下と居室とを仕切る壁１に、廊下と居室とを連通する矩形状の開口１ａ(図４)が設けられており、開口１ａを閉止可能な引戸２が壁１の廊下側にて当該壁１に沿ってスライド可能に設けられている。本実施形態の引戸２は、上部に設けられたレールに吊り下げられて移動する吊り下げタイプの引戸２である。本実施形態では、引戸２がスライドする所定方向は左右方向に相当する。
【００２１】
また、本実施形態の開口部には、引戸２が開口１ａを閉止する閉止位置にて、引戸２を保持可能な保持機構７を有している。保持機構７は、例えば、図２に示すように、引戸２の戸先部２０に設けられた戸先錠７０と、開口１ａを有する壁１に設けられた錠受７１と、を有している。戸先錠７０は、引戸２の引手２１とともに摘むように操作されるレバー７０ａと、レバー７０ａの操作により回動する鍵部品７０ｂとを有している。錠受７１は、壁面から突出させて設けられ、鍵部品７０ｂが係止される係止部７１ａを有している。
【００２２】
保持機構７は、引戸２が開口１ａを閉止している状態で、鍵部品７０ｂが錠受７１の係止部７１ａに係止されるとともに回動が規制されている。ここで、図２（ａ）にて示している引戸２の位置、すなわち、引戸２が開口１ａを閉止しているときの引戸２の位置が閉止位置に相当する。そして、レバー７０ａが操作されることにより、図２（ｂ）に示すように、鍵部品７０ｂが回動して係止部７１ａとの係止が解除され、引戸２がスライド可能となる。保持機構７の構成は、これに限るものではなく、引戸２を閉止位置に保持し、保持状態が解除可能な構成であれば構わない。また、引戸２が開いた状態に保持する保持機構を併せて備えていても構わない。
【００２３】
壁１の廊下側の面には、開口１ａの上縁に沿うように、レールユニット３が設けられている。レールユニット３は、引戸２の上端部が収容され、内部に引戸２の上部に設けられた吊り車が係合されて案内されるレールが設けられている。図１では、開口１ａを閉じた状態の引戸２が右方向にスライドされて開口１ａが開放されるようにレールユニット３が設けられている。
【００２４】
レールユニット３は、引戸２が開口１ａを閉止する閉止位置から、開口１ａを開放する開放位置まで移動可能に設けられている。ここで、引戸２の開放位置は、引戸２が開口１ａに突出せず開口１ａを全く遮らない位置でもよいし、引戸２の戸先側に設けられ開閉操作するためのハンドル（不図示）が開口１ａに突出する位置でも構わない。また、壁１において開放位置に位置する引戸２と対向する対向部１０は、開口１ａの隣に位置する壁１の一部である。
【００２５】
引戸２は、パネル状をなしており、図３、図４に示すように、開口１ａにより連通される２つの空間側に向く両面、すなわち廊下側の面（以下、廊下面という）２ａと居室側の面（以下、居室面という）２ｂとに各々、床４から約８００ｍｍの高さに引戸手摺り５が設けられている。引戸手摺り５は、パイプ状の部材が左右方向に水平をなすように配置され、引戸２のほぼ全幅に亘って設けられている。引戸手摺り５は、引戸２の廊下面２ａまたは居室面２ｂと見込み方向に間隔を空けてほぼ平行をなす本体部５ａと、本体部５ａの左右の端部にて引戸２に連結されている支持部５ｂとが一体に設けられている。
【００２６】
引戸２の下端部には下方に開放されて上方に窪む下端溝部（不図示）が左右方向、すなわち引戸２の幅方向の全長に亘って設けられている。下端溝部には、壁１の対向部１０の廊下側であって、開口１ａ側の端に床４から突出されている規制部材(不図示)が挿入されており、規制部材により引戸２の見込み方向の移動が規制されている。
【００２７】
開放位置に位置する引戸２と対向する対向部１０を含めた壁１の廊下側の面には、引戸２に設けられている引戸手摺り５と同じ高さに、廊下側に開放されて居室側に窪む凹部１１が設けられている。対向部１０に設けられている凹部１１には、引戸２を開いたときに引戸２の居室面２ｂに設けられている引戸手摺り５が収容されるため、凹部１１の開放されている部位の上下方向の幅Ｗ１は、引戸手摺り５の本体部５ａの直径Ｄより十分に広く、見込み方向の奥行きＬ１は、引戸２の居室面２ｂから突出している引戸手摺り５の突出量Ｌ２より深く形成されている。
【００２８】
凹部１１は、廊下側、すなわち、開放されている側は上下方向の幅Ｗ１が、奥側の上下方向の幅Ｗ２より狭く形成されている。より具体的には、凹部１１内は、見込み方向において引戸２側に位置する部位よりも引戸２から離れた位置に、引戸２側に位置する部位よりも下方に窪む窪み部１２が凹部１１の全長に亘って設けられている。このため、壁１には、窪み部１２よりも廊下側に、窪み部１２の底１２ａよりも高く上方に突出する突出壁部１３が設けられている。突出壁部１３の見込み方向の幅Ｗ３は、引戸手摺り５の本体部５ａの直径Ｄとほぼ同じ幅を有している。この突出壁部１３は、廊下を歩行する者が、上に手を置いたときに容易に把持できるように形成されており、所謂手摺りをなしている。
【００２９】
このため、引戸２を閉じたときには、手摺りをなす突出壁部１３と、引戸２に設けられた引戸手摺り５と、が左右方向に連なるように配置される。このとき、引戸２の引戸手摺り５と突出壁部１３とは、必ずしも同じ高さでなくとも構わない。また、引戸２の引戸手摺り５と突出壁部１３とは、左右方向においても完全に繋がっていなくとも構わず、歩行が不安定で手摺りを必要とする者が、手を移し替えることが可能な範囲にお互いの端部が配置されていれば、引戸手摺り５の端部と突出壁部１３の端部とは繋がっていなくとも構わない。
【００３０】
また、引戸２を開いたときには、居室側の引戸手摺り５は、対向部１０に設けられた凹部１１内に収容されて開口１ａが広く開放されるとともに、対向部１０と接触しない程度の僅かな間隔を空けた状態で引戸２が壁１の対向部１０と対向する。
【００３１】
また、図５に示すように、居室側においては、引戸２の居室面２ｂに設けられている引戸手摺り５と高さを合わせて、壁１の居室面２ｂにも、引戸２と同様の壁手摺り６が設けられている。このため、引戸２を閉じたときには、居室側においても引戸２の引戸手摺り５と壁１の壁手摺り６とが左右方向に連なるように配置される。
【００３２】
本実施形態の開口部構造によれば、引戸２を開いたときに当該引戸２と対向する壁１の対向部１０に、引戸２の対向部１０側に突出する引戸手摺り５を収容可能な凹部１１が設けられているので、引戸２の対向部１０側にも十分な強度を備えた引戸手摺り５を常に設けておくことが可能である。そして、引戸２を閉じることにより、引戸２の対向部１０側であっても開口１ａの位置に引戸手摺り５を配置することが可能であり、また、引戸手摺り５が妨げになることなく引戸２を開くことが可能である。
【００３３】
また、引戸２の居室面２ｂに突出している引戸手摺り５は、対向部１０に設けられた凹部１１に収容されるので、引戸２の対向部１０側に引戸手摺り５を設けたとしても、引戸２を対向部１０側により近接させて配置することが可能である。このため、壁１及び引戸２を含む開口部の見込み幅Ｗ４を狭くすることが可能である。このため、見込み方向において開口部の両側に設けられているスペースをより広く有効に使用することが可能である。
【００３４】
また、凹部１１内には、見込み方向において引戸２側よりも奥側に、低い窪み部１２を有しているので、凹部１１に手を掛けた際には、引戸２側の高くなっている突出壁部１３を掴むことが可能である。このため、突出壁部１３を手摺りとして使用することが可能である。このため、開口部を含むより広い範囲に、歩行の補助となる引戸手摺り５及び突出壁部１３で手摺りを連ねて設けることが可能である。また、引戸手摺り５が収容される部位は壁１に設けた凹部１１なので、簡単な構成であるため、製造、施工が容易であり、コストを抑えることができると共に、引戸２以外に壁１にも安定した手摺りを提供することが可能である。
【００３５】
また、引戸２を閉じた状態では、引戸２及び対向部１０のみならず、開口１ａが形成されている壁１に設けられている凹部１１の突出壁部１３や壁手摺り６と連ねて、壁１の全域に手摺りを設けることが可能である。このため、より安全な歩行をサポートすることが可能である。
【００３６】
また、引戸２が開口１ａを閉止する閉止位置に、引戸２を保持可能な保持機構７を有しているので、保持機構７により、引戸２は閉じた状態で閉止位置に保持される。このため、引戸２が閉じた状態、すなわち、引戸２の引戸手摺り５と対向部１０の凹部１１の突出壁部１３とが連なるように配置された状態で、引戸２が保持される。このため、引戸手摺り５や突出壁部１３を使用する者は、安定した歩行が可能となる。
【００３７】
上記実施形態においては、壁１に突出壁部１３の奥側に窪み部１２を備えた凹部１１を形成する例について説明したが、これに限るものではない。例えば、凹部は、窪み部を有していなくとも引戸の居室側に設けられた手摺りが収納可能であれば構わない。この場合には、引き戸を閉じた状態で対向部が露出しているときには、凹部を手掛かりとして手摺りの代わりとすることが可能である。このため、開口部が設けられている壁の全域に亘って、歩行の補助となる手掛かりを設けることが可能である。
【００３８】
また、上記実施形態においては、凹部１１の開放されている側の部位となる突出壁部１３よりも引戸２から離れた位置に下方に窪む窪み部１２が凹部１１の全長に亘って設けられている例について説明したが、凹部１１の突出壁部１３よりも引戸２から離れた位置は、凹部１１の開放されている側の上面より上方に窪んでいても構わない。
【００３９】
また、上記実施形態においては、壁１の廊下側の全域に凹部１１を設けた例について説明したが、これに限るものではない。例えば、壁１の対向部１０以外の部位には、壁手摺り６を設けても構わない。
【００４０】
上記実施形態においては、引戸２の廊下側の引戸手摺り５と居室側の引戸手摺り５とを同じ高さに設けた例について説明したが、廊下側の引戸手摺り５は壁１に設けられた突出壁部１３の高さと合わせても構わない。
【００４１】
また、上記実施形態においては、引戸２を開いたときに、引戸２が壁１の廊下側に位置して壁１と対向する例について説明したが、引戸は居室側に設けられていても構わない。また、引戸２を開いたときに対向する対向部１０は、壁１に限らず、例えば、上記引戸２と引き違い状態で設けられた他の引戸であっても構わない。このような開口部構造によれば、引戸が引き違い状態で設けられている各々の引戸に手摺りまたは手掛かりを設けることが可能である。
【００４２】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４３】
１  壁、１ａ  開口、２  引戸、２ａ  廊下面、２ｂ  居室面、５  引戸手摺り、
６  壁手摺り、７  保持機構、１０  対向部、１１  凹部、１２  窪み部、
１３  突出壁部、
【図１】
2019206850.tif 000003
【図２】
2019206850.tif 000004
【図３】
2019206850.tif 000005
【図４】
2019206850.tif 000006
【図５】
2019206850.tif 000007